(57)【要約】【課題】  入浴者の身体にミストを効果的に当てることができると共に温度の高いミストを当てることができてミストサウナ浴効果を高めることができるミストサウナ装置を提供する。【解決手段】  浴室１内に湯を噴霧することでミストを発生してミストサウナ浴をし得るようにしたミストサウナ装置である。これにおいて、入浴者の身体の左右の両側に向けて夫々ミストを噴出するミスト噴出部２を左右の両側に所定の間隔を隔てて配設する。【選択図】        図１
2005118452.tif 000002
【特許請求の範囲】
【請求項１】
浴室内に湯を噴霧することでミストを発生してミストサウナ浴をし得るようにしたミストサウナ装置において、入浴者の身体の左右の両側に向けて夫々ミストを噴出するミスト噴出部を左右の両側に所定の間隔を隔てて配設したことを特徴とするミストサウナ装置。
【請求項２】
浴室内に湯を噴霧することでミストを発生してミストサウナ浴をし得るようにしたミストサウナ装置において、入浴者の身体の胴に向けてミストを噴出するミスト噴出部と入浴者の身体の足元に向けてミストを噴出するミスト噴出部とを設けたことを特徴とするミストサウナ装置。
【請求項３】
ミスト噴出部を首振り自在にしてミストを噴出する向きを調整し得るようにしたことを特徴とする請求項１または請求項２記載のミストサウナ装置。
【請求項４】
浴室の壁面に沿わせて取り付けることができる偏平な筐体状のミストユニット本体の前面に複数のミスト噴出部を夫々設けたことを特徴とする請求項１乃至請求項３のいずれか１項に記載のミストサウナ装置。
【請求項５】
浴室内に湯を噴霧することでミストを発生してミストサウナ浴をし得るようにしたミストサウナ装置において、浴室の壁面に沿わせて取り付けることができる偏平な筐体状のミストユニット本体の前面の左右両側に入浴者の身体の左右両側に向けてミストを噴出するためのミスト噴出部を設け、ミストユニット本体の前面の下部に入浴者の身体の足元にミストを噴出するためのミスト噴出部を設け、左右両側のミスト噴出部を左右に首振り自在にしてミストを噴出する向き調整し得るようにすると共に下部のミスト噴出部を上下に首振り自在にしてミストを噴出する向きを調整し得るようにしたことを特徴とするミストサウナ装置。
【発明の詳細な説明】
【技術分野】
【０００１】
本発明は、浴室内にミストを噴霧することにより浴室内に居る入浴者にミストを当ててミストサウナ浴をするようにしたミストサウナ装置に関するものである。
【背景技術】
【０００２】
従来のミストサウナ装置は浴室の洗い場の壁面にミスト発生器を設置し、洗い場の混合水栓への給湯管から分岐した分岐管をミスト発生器に接続してある（例えば特許文献１参照）。そして、ミスト発生器に４５〜６０℃程度の湯を供給してミスト発生器で噴霧ノズルから湯を噴霧して浴室内をミスト雰囲気にするようになっている。
【特許文献１】特開平１０−１８５２２４号公報
【発明の開示】
【発明が解決しようとする課題】
【０００３】
ところで、上記のようなミスト発生器の噴霧ノズルは上方や下方を向いて浴室内全体にミストを行き亙らせるようになっており、浴室内に浮遊するミストが入浴者の身体に接触してミストサウナ浴をするようになっている。このため入浴者の身体にミストが効果的に当たるといえず、ミストサウナ浴の効果が低いという問題があり、また温度の低いミストが入浴者の身体に接触するためにミストサウナ浴の効果が低いという問題がある。
【０００４】
本発明は上記の従来の問題点に鑑みて発明したものであって、入浴者の身体にミストを効果的に当てることができると共に温度の高いミストを当てることができてミストサウナ浴効果を高めることができるミストサウナ装置を提供することを課題とするものである。
【課題を解決するための手段】
【０００５】
上記課題を解決するために本発明の請求項１のミストサウナ装置は、浴室１内に湯を噴霧することでミストを発生してミストサウナ浴をし得るようにしたミストサウナ装置において、入浴者の身体の左右の両側に向けて夫々ミストを噴出するミスト噴出部２を左右の両側に所定の間隔を隔てて配設したことを特徴とする。
【０００６】
上記のように構成したことにより、浴室１内の洗い場に座ったりしてミストサウナ浴をするとき、入浴者の身体の左右両側に向けてミストを噴出することで直接身体にミストを当てることができると共に温度の高いミストを当てることができて効果的にミストサウナ浴を行うことができる。また入浴者の身体の左右両側に噴出することで身体の背中側にもミストを回り込ませて接触させることができ、この点でも効果的にミストサウナ浴を行うことができる。
【０００７】
また本発明の請求項２のミストサウナ装置は、浴室１内に湯を噴霧することでミストを発生してミストサウナ浴をし得るようにしたミストサウナ装置において、入浴者の身体の胴に向けてミストを噴出するミスト噴出部２と入浴者の身体の足元に向けてミストを噴出するミスト噴出部２とを設けたことを特徴とする。
【０００８】
上記のように構成したことにより、ミスト噴出部２から入浴者の身体の胴にミストを噴出することができ、入浴者の身体の胴に直接ミストを当てることができると共に暖かいミストを当てることができて効果的にミストサウナ浴ができる。またミスト噴出部２から入浴者の身体の足元にミストを噴出して冷えやすい足元を温めることができ、快適にミストサウナ浴を行うことができる。
【０００９】
また本発明の請求項３のミストサウナ装置は、請求項１または請求項２において、ミスト噴出部２を首振り自在にしてミストを噴出する向きを調整し得るようにしたことを特徴とする。
【００１０】
このようにミスト噴出部２を首振りさせることによりミストを噴出する向きを調整できて入浴者の体型や好みに応じてミストを噴出してより適切なミストサウナ浴ができる。
【００１１】
また本発明の請求項４のミストサウナ装置は、請求項１乃至請求項３のいずれか１項において、浴室１の壁面３に沿わせて取り付けることができる偏平な筐体状のミストユニット本体４の前面に複数のミスト噴出部２を夫々設けたことを特徴とする。
【００１２】
上記のように複数のミスト噴出部２を有するものでも１つのミストユニット本体４に一緒に設けることができ、１つのミストユニット本体４を壁面３に沿って取り付けるだけで設置できて施工が容易にできる。また複数のミスト噴出部２を一体に纏めて外観よくできる。
【００１３】
また本発明の請求項５のミストサウナ装置は、浴室１内に湯を噴霧することでミストを発生してミストサウナ浴をし得るようにしたミストサウナ装置において、浴室１の壁面３に沿わせて取り付けることができる偏平な筐体状のミストユニット本体４の前面の左右両側に入浴者の身体の左右両側に向けてミストを噴出するためのミスト噴出部２を設け、ミストユニット本体４の前面の下部に入浴者の身体の足元にミストを噴出するためのミスト噴出部２を設け、左右両側のミスト噴出部２を左右に首振り自在にしてミストを噴出する向き調整し得るようにすると共に下部のミスト噴出部２を上下に首振り自在にしてミストを噴出する向きを調整し得るようにしたことを特徴とする。
【００１４】
ミストユニット本体４を浴室１の洗い場の壁面３に沿わせることで容易に設置することができる。左右の両側のミスト噴出部２からミストを噴出して入浴者の身体の左右両側に直接ミストを当てることができると共に温度の高いミストを当てることができて効果的にミストサウナ浴を行うことができる。また入浴者の身体の左右両側に噴出することで身体の背中側にもミストを回り込ませて接触させることができて効果的にミストサウナ浴を行うことができる。また左右のミスト噴出部２を左右に首振り自在にすることにより入浴者の体型や好みに合わせてミストの噴出する向きを調整して適切なミストサウナ浴を行うことができる。また下部のミスト噴出部２から入浴者の身体の足元にミストを噴出して冷えやすい足元を温めることができ、快適にミストサウナ浴を行うことができる。このときも下部のミスト噴出部２を上下に首振りすることで足元に噴出する向きを自在に変えて適切に足元にミストを吹き出すことができる。
【発明の効果】
【００１５】
本発明の請求項１の発明は、浴室内の洗い場に座ったりしてミストサウナ浴をするとき、入浴者の身体の左右両側に向けてミストを噴出することで直接身体にミストを当てることができると共に温度の高いミストを当てることができて効果的にミストサウナ浴を行うことができるという効果を奏し得るものであり、しかも入浴者の身体の左右両側に噴出することで身体の背中側にもミストを回り込ませて接触させることができ、この点でも効果的にミストサウナ浴を行うことができるという効果を奏し得るものである。
【００１６】
また本発明の請求項２の発明は、ミスト噴出部から入浴者の身体の胴にミストを噴出することができ、入浴者の身体の胴に直接ミストを当てることができると共に暖かいミストを当てることができて効果的にミストサウナ浴ができるという効果を奏し得るものであり、しかもミスト噴出部から入浴者の身体の足元にミストを噴出して冷えやすい足元を温めることができ、快適にミストサウナ浴を行うことができるという効果を奏し得るものである。
【００１７】
また本発明の請求項３の発明は、ミスト噴出部を首振りさせることによりミストを噴出する向きを調整できて入浴者の体型や好みに応じてミストを噴出してより適切なミストサウナ浴ができるという効果を奏し得るものである。
【００１８】
また本発明の請求項４の発明は、複数のミスト噴出部を有するものでも１つのミストユニット本体に一緒に設けることができ、１つミストユニット本体を壁面に沿って取り付けるだけで設置できて施工が容易にできるという効果を奏し得るものであり、また複数のミスト噴出部を一体に纏めて外観よくできるという効果を奏し得るものである。
【００１９】
また本発明の請求項５は、上記請求項１乃至請求項４のいずれの効果も奏し得るものである。
【発明を実施するための最良の形態】
【００２０】
以下、本発明を添付図面に示す実施形態に基いて説明する。
【００２１】
浴室１にはミストサウナ浴をするためミストサウナ装置を設置してある。本例ミストサウナ装置は浴室暖房も併用して使用するために図８に示すようにミストユニットＡと浴室暖房乾燥機Ｂとで構成されている。
【００２２】
ミストユニットＡは図２に示すように偏平な左右に長い直方体状のミストユニット本体４の前面に複数のミスト噴出部２を設けてある。このときミストユニット本体４の前面には開口部６を設けてあり、この開口部６を臨むようにミストユニット本体４内にミスト噴出部２を配置してある。この複数のミスト噴出部２は左右の側部ミスト噴出部２ａと下部の下部ミスト噴出部２ｂとで構成されている。
【００２３】
ミスト噴出部２は図６、図７に示すように湯が供給される管体７と管体７に所定の間隔で装着したミスト噴霧ノズル８と上記開口部６を塞ぐためのカバー体９とで構成されている。側部ミスト噴出部２ａでは管体７の長手方向が上下方向を向いており、上下方向に間隔を隔てて複数個のミスト噴霧ノズル８を配置してある。下部ミスト噴出部２ｂでは管体７が左右方向を向いており、左右方向に間隔を隔てて複数個のミスト噴霧ノズル８を配置してある。
【００２４】
図６に示すようにミストユニット本体４内に配置した両側の側部ミスト噴出部２ａの上端に対応する位置にエンド部材２９を装着してあり、側部ミスト噴出部２ａの管体７の上端をエンド部材２９に回転自在に装着してある。左の側部ミスト噴出部２ａの下端と下部ミスト噴出部２ｂの左端との間に第１連通管１０を配置してミストユニット本体４に装着してあり、左の側部ミスト噴出部２ａの管体７の下端を第１連通管１０の一端に回転自在に連結すると共にこの管体７と第１連通管１０を連通させてあり、下部ミスト噴出部２ｂの管体７の左端を第１連通管１０の他端に回転自在に連結すると共にこの管体７と第１連通管１０とを連通させてある。右の側部ミスト噴出部２ａと下部ミスト噴出部２ｂの右端との間には第２連通管１１を配置してミストユニット本体４に装着してあり、右の側部ミスト噴出部２ａの管体７の下端を第２連通管１１の一端に回転自在に連結すると共にこの管体７と第２連通管１１とを連通させてあり、下部ミスト噴出部２ｂの管体７の右端を第２連通管１１の他端に回転自在に連結すると共にこの管体７と第２連通管１１とを連通させてある。上記のように側部ミスト噴出部２ａと下部ミスト噴出部２ｂとを設置することにより、側部ミスト噴出部２ａが左右に首振り自在になると共に下部ミスト噴出部２ｂが上下に首振り自在になる。
【００２５】
ミストユニット本体４の側部には給湯口１２を設けてあり、給湯口１２と第１連通管１０とを供給管１３にて連通させてあり、供給管１３の途中にこの管路を開閉する電磁弁１４を配置してある。しかして電磁弁１４が開放されると、給湯口１２に給湯された湯が供給管１３、電磁弁１４、第１連通管１０、第２連通管１１を介して両側の側部ミスト噴出部２ａや下部ミスト噴出部２ｂに供給され、各ミスト噴霧ノズル８からミストを噴霧することができるようになっている。
【００２６】
ミストユニット本体４の前面の両側の側部ミスト噴出部２ａと下部ミスト噴出部２ｂとで囲まれた部分には点検口を設けてあり、この点検口には蓋体１５を被着してあり、この蓋体１５が取り付けねじ１６にて着脱自在に取り付けてある。点検口に対応する部分でミストユニット本体４内には制御基板１７や乾電池を電源とする電源部１７ａを配置してあり、制御基板１７にはスイッチ１８を搭載してあり、スイッチ１８の押釦１８ａを蓋体１５の表面に露出させてある。スイッチ１８の押釦１８ａを操作することにより、電磁弁１４を開いて運転状態にしたり、電磁弁１４を閉じて停止状態にしたりするようになっている。また蓋体１５にはＬＥＤのような運転表示部１９やＬＥＤのような電源表示部２０やＬＥＤのようなエラー表示部２１を設けてある。
【００２７】
また供給管１３には供給される湯の温度を検出する温度センサー（図示せず）を設けてあり、所定温度以上の高温の温水が供給されたとき電磁弁１４が閉じられて湯の供給が停止され、所定以上の高温のミストが噴出されるのを防止できるようになっている。また供給管１３の途中から下方に排水管２２を分岐してあり、この排水管２２に排水管２２を開閉する排水栓２３を設けてある。そして排水栓２３を開くことで内部に溜まっている低温の水を抜いたり、所定温度以上の高温の温水を抜いたりできるようになっている。
【００２８】
ミストユニットＡは浴室１の洗い場の壁面３に沿って取り付けられるのであるが、図１に示すように洗い場用の混合水栓２４の下で壁面３に沿って取り付けられる。このとき、混合水栓２４に給湯する給湯管から分岐管２５が分岐され、この分岐管２５が給湯口１２に接続される。このように混合水性２４の下にミストユニットＡを取り付けると、混合水栓２４の手前で椅子に座って身体を洗ったりするときと同じ姿勢でミストサウナ浴を行うことができる。
【００２９】
また浴室１の壁面の上部や天井には図９に示すような浴室暖房乾燥機Ｂを図８に示すように設置してあり、浴室１内の暖房や乾燥や換気ができるようになっている。浴室１内を暖房する暖房運転する場合、熱交換器に温水を供給し、循環用ファンを駆動することより、浴室１内の空気を吸い込み口２７から吸い込み、熱交換器で加熱され温風を吹き出し口２８から吹き出すように空気が循環し、浴室１内が暖房される。また浴室１内を換気する換気運転をする場合、熱交換器へ温水を供給しない状態で排気用ファンを駆動することにより、浴室１内の空気を吸い込み口２７から吸い込んで外部に排出し、浴室１内の換気が行われる。
【００３０】
また浴室１内を乾燥したり、浴室１内に干した洗濯物を乾燥したりする乾燥運転を行う場合、熱交換器に温水を供給し、循環用ファンを駆動すると共に排気用ファンを駆動することにより、浴室１の空気を吸い込み口２７から吸い込み、熱交換器で加熱された温風が吹き出し口２８から吹き出すように空気が循環し、一方吸い込み口２７から吸い込んだ空気の一部を外部に排気し、これにより浴室１内の湿度が下がり、浴室１内の乾燥や浴室１内に干した洗濯物の乾燥が行われる。また浴室１に通気する涼風運転をする場合、熱交換器に温水を供給せず、循環用ファンを駆動することにより、浴室１内の空気を吸い込み口２７から吸い込んで吹き出し口２８から吹き出すように空気を循環させる。
【００３１】
この浴室暖房乾燥機Ｂの運転の操作は図１０に示すようなリモコン３０で行われるものであり、リモコン３０には動作状態を表示する表示部３１、乾燥用操作釦３２、暖房操作釦３３、涼風操作釦３４、換気操作釦３５、温度調整釦３６、時間設定釦３７、予約用釦３８、風向調整用釦３９、停止釦４０等を有する。また本発明ではこのリモコン３０で浴室暖房乾燥機Ｂと連動させてミストユニットＡも操作することができるようになっており、リモコン３０にミストサウナ操作釦４１も設けてある。
【００３２】
ミストサウナ浴を行うときは通常、ミストサウナ操作釦４１が操作されてミストユニットＡが運転されると共に浴室暖房乾燥機Ｂが運転される。ミストユニットＡが運転されると、電磁弁１４が開かれて側部ミスト噴出部２ａ及び下部ミスト噴出部２ｂに湯が供給されてミスト噴霧ノズル８からミストが噴霧される。このとき入浴者がミストユニットＡの手前で椅子に座ると、両側の側部ミスト噴出部２ａから噴出するミストが身体の左右の両側に向けて噴出され、下部ミスト噴出部２ｂから噴出するミストが身体の足元に向けて噴出される。このとき、両側の側部ミスト噴出部２ａから噴出されるミストが身体の胴等の両側に当たるためにミストが直接身体に当たると共に高温のミストが身体に接触するため効果的にミストサウナ浴を行うことができる。また両側の側部ミスト噴出部２ａから入浴者の身体の両側にミストを噴出するために身体の背中の方にもミストを回り込ませることができて背中の方にもミストを当てて一層効果的にミストサウナ浴ができる。また下部ミスト噴出部２ｂから足元にミストを噴出することができるために足元を温めることができて快適にミストサウナ浴ができる。
【００３３】
また両側の側部ミスト噴出部２ａは左右に首振りさせることで側部ミスト噴出部２ａからミストを噴出する向きを調整することができ、入浴者の体型や好みに合わせることができる。また下部ミスト噴出部２ｂは上下に首振りさせることで下部ミスト噴出部２ｂからミストを噴出する向きを調整することでき、ミストを当てる足元の位置も変えることができる。
【００３４】
上記のようにリモコン３０のミストサウナ操作釦４１を操作してミストユニットＡからミストを噴出するミストサウナ浴を行うとき、浴室暖房乾燥機Ｂも連動して運転される。このとき、浴室暖房乾燥機Ｂの熱交換器に温水を供給し、循環用ファンを駆動することより、浴室１内の空気を吸い込み口２７から吸い込み、熱交換器で加熱された温風を吹き出し口２８から吹き出すように空気が循環し、浴室１内が暖房される。これにより浴室１内が暖房され、ミストユニットＡに供給する湯の温度が低くても暖かい雰囲気で快適にミストサウナ浴を行うことができる。ミストサウナ浴を行うとき、上記のようにリモコン３０で操作を行うが、浴室１で操作するときはミストユニットＡのスイッチ１８の押釦１８ａを操作することでも行うことができる。
【００３５】
ミストサウナ浴を行うためにミストユニットＡを運転したとき、電磁弁１４が開かれて側部ミスト噴出部２ａや下部ミスト噴出部２ｂに湯が給湯されるが、湯の温度は温度センサーで検出されており、所定の温度以上の高温の湯が供給されたとき電磁弁１４が閉じられて湯の供給が停止されて安全性が確保される。またミストサウナ浴を行うとき、ミストユニットＡ内に低温の水が溜まっていると、低温のミストを噴出するおそれがあるが、このとき、排水栓２３を開いて排水管２２から水を抜くことができる。
【図面の簡単な説明】
【００３６】
【図１】本発明の実施の形態の一例のミストユニットを浴室内に設置した状態の斜視図である。
【図２】同上のミストユニットの正面図である。
【図３】同上のミストユニットの底面図である。
【図４】同上のミストユニットの左側面図である。
【図５】同上のミストユニットの右側面図である。
【図６】同上のミストユニットの内部の構造を示す一部切欠正面図である。
【図７】同上のミストユニットの内部の構造を示す一部切欠側面図である。
【図８】同上の浴室に浴室暖房乾燥装置を装着した状態を説明する断面図である。
【図９】同上の浴室暖房乾燥装置の正面図である。
【図１０】同上のリモコンの正面図である。
【符号の説明】
【００３７】
Ａ  ミストユニット
Ｂ  浴室暖房乾燥機  
１  浴室
２  ミスト噴出部
２ａ  側部ミスト噴出部
２ｂ  下部ミスト噴出部
３  壁面
４  ミストユニット本体
６  開口部
７  管体
８  噴霧ノズル
９  カバー体
１０  第１連通管
１１  第２連通管
１２  給湯口
１３  供給管
１４  電磁弁
１５  蓋体
１６  取り付けねじ
１７  制御基板
１７ａ  電源部
１８  スイッチ
１８ａ  押釦
１９  運転表示部
２０  電源表示部
２１  エラー表示部
２２  排水管
２３  排水栓
２４  混合水栓
２５  分岐管
２７  吸い込み口
２８  吹き出し口
２９  エンド部材
３０  リモコン
３１  表示部
３２  乾燥用操作釦
３３  暖房操作釦
３４  涼風操作釦
３５  換気操作釦
３６  温度調整釦
３７  時間設定釦
３８  予約用釦
３９  風向き調整用釦
４０  停止釦
４１  ミストサウナ操作釦
【図１】
2005118452.tif 000003
【図２】
2005118452.tif 000004
【図３】
2005118452.tif 000005
【図４】
2005118452.tif 000006
【図５】
2005118452.tif 000007
【図６】
2005118452.tif 000008
【図７】
2005118452.tif 000009
【図８】
2005118452.tif 000010
【図９】
2005118452.tif 000011
【図１０】
2005118452.tif 000012